(57)【特許請求の範囲】
【請求項１】
上端開口の有底筒状をなすとともに、上面に複数の嵌合凹部５を凹設したケース体２と、該ケース体内に収納した筒状胴部９上端縁より肩部１０を介して口頚部１１を起立するとともに、胴部周壁９ａ外周上端部より突設した複数の嵌合突部１２を上記各嵌合凹部５内にそれぞれ嵌合させてケース体に着脱自在に装着させた合成樹脂製の液体収納容器体３と、上記ケース体２外周上端部に嵌合させた周壁１５上端縁より内方へフランジ状頂壁１６を延設してケース体に着脱自在に装着した肩カバー４とを備え、上記液体収納容器体３を構成する壁部を薄肉に形成するとともに、各嵌合突部１２突設部位を包含する一対の壁部内側面縦断部分及び各縦断部分下端相互を連結する壁部内底面横断部分に、帯状の肉厚骨部１３を突設してなることを特徴とする液体収納容器。
【発明の詳細な説明】
【０００１】
【発明の属する技術分野】
本発明は液体収納容器に関する。
【０００２】
【従来の技術】
液体収納容器として、筒状胴部上端縁より肩部を介して口頚部を起立した合成樹脂製の容器体と、口頚部外周に嵌合させた周壁上端縁より口頚部上端開口を閉塞する頂壁を延設してなる合成樹脂製キャップとを備えたものが極一般に使用されている。
【０００３】
【発明が解決しようとする課題】
これらは一般に、収納液使用後は廃棄されるため、装飾性に凝ったもの、或いは高価な材質のものを使用しにくい傾向がある。反面、徹底的に低価格を目指す場合にも、液を収納した状態での保形性或いは一応の外観等を要求されるため、限度があり、従って、収納液使用の都度廃棄するこの様な容器は不経済であった。
【０００４】
本発明は上記した点に鑑みなされたもので、外部に露出するケース体，肩カバーを装飾性に富んだ、外観良好なものとするため高価な材質等を使用しても、廃棄する低コストの多数の容器体を考慮した場合、長期使用の視野からすれば全体に低コストで得られ、しかも廃棄の際にはその嵩及び重量の少ないゴミとして処理でき、また、取り扱いも便利な優れた容器を提案するものである。
【０００５】
【課題を解決するための手段】
本請求項１発明の容器は上記課題を解決するため、上端開口の有底筒状をなすとともに、上面に複数の嵌合凹部５を凹設したケース体２と、該ケース体内に収納した筒状胴部９上端縁より肩部１０を介して口頚部１１を起立するとともに、胴部周壁９ａ外周上端部より突設した複数の嵌合突部１２を上記各嵌合凹部５内にそれぞれ嵌合させてケース体に着脱自在に装着させた合成樹脂製の液体収納容器体３と、上記ケース体２外周上端部に嵌合させた周壁１５上端縁より内方へフランジ状頂壁１６を延設してケース体に着脱自在に装着した肩カバー４とを備え、上記液体収納容器体３を構成する壁部を薄肉に形成するとともに、各嵌合突部１２突設部位を包含する一対の壁部内側面縦断部分及び各縦断部分下端相互を連結する壁部内底面横断部分に、帯状の肉厚骨部１３を突設してなることを特徴とする液体収納容器として構成した。
【０００６】
【発明の実施の形態】
以下、本発明の実施例の形態を図面を参照して説明する。
図面に示す如く、本発明の液体収納容器１は、ケース体２と、液体収納容器体３と、肩カバー４とを備えている。
ケース体２は、液体収納容器体３を収納装着させるためのもので、上端開口の有底筒状をなし、上面に複数の嵌合凹部５を凹設している。そして、容器体内の収納液が無くなった場合に、容器体のみを外して交換する如く構成しており、その為、装飾性の高い，起立安定性の良い，耐久性に優れたものとすると良い。また、その材質は合成樹脂，金属等を選択すると良く、或いはそれらを併用すると良い。
【０００７】
本実施例では、底壁６周縁部より立設した円筒状の周壁７上端部を若干縮径した円筒状嵌合部８に形成し、嵌合部８の外周には周方向複数の間欠的螺条を突設している。また、嵌合部８上面の左右位置に一対の嵌合凹部５を凹設している。この嵌合凹部５は、実施例の如き二ヶ所に限らず三ヶ所以上設けることも可能である。
【０００８】
液体収納容器体３は、合成樹脂により形成されたもので、ケース体２内に収納した筒状胴部９上端縁より肩部１０を介して口頚部１１を起立するとともに、胴部周壁９ａ外周上端部より突設した複数の嵌合突部１２を上記各嵌合凹部５内にそれぞれ嵌合させてケース体に着脱自在に装着している。
【０００９】
本発明では、液体収納容器体３を構成する壁部を薄肉に形成するとともに、各嵌合突部１２突設部位を包含する一対の壁部内側面縦断部分及び各縦断部分下端相互を連結する壁部内底面横断部分に、帯状の肉厚骨部１３を突設している。この肉厚骨部１３は、壁部と一体に形成したものであっても、図４に示す如く、接着，融着等の方法で壁部に固定したものであっても良く、この肉厚骨部１３を設けることにより、各嵌合突部１２の補強を含めた容器体全体の補強を行い、肉薄の壁部に係わらず起立可能とすることができ、スペアの容器体としての陳列，配送等の際に取り扱いが便利となる如く構成している。
【００１０】
この様な容器体３を形成する場合には、例えば、内面相対向位置に厚肉骨部を形成するための肉厚部を備えた管状基材を押出成形等により形成し、この基材を使用してブロー成形等により所定の形状に形成することができ、容易に製造することが出来る。
また、上記肉厚骨部１３を接着，融着等の方法で固定したものの場合には、例えば、共押出成形等により、内面相対向位置に肉厚部を備えた管状基材を得た後、同様に形成することができる。
【００１１】
この様に構成した液体収納容器体３は、胴部９をケース体２上方より挿入収納し、口頚部１１を上方に突出させた状態で各嵌合突部１２を嵌合凹部５内に嵌合係止させてケース体２に装着する。
尚、容器体３には、その口頚部１１外周に着脱自在に嵌合させた周壁上端縁より口頚部上端開口を閉塞する頂壁を延設してなるキャップ１４を着脱自在に装着している。このキャップ１４もケース体及び肩カバー共々、容器体交換時に廃棄しない備え付けとして使用することも出来、その場合にはそれぞれと同様の装飾性の高い，耐久性に優れたものとすると良い。
【００１２】
肩カバー４も上記ケース体と同様の材質で形成され、また、装着した容器体３を確実に係止させるためのもので、口頚部１１外周に嵌合させた周壁１５上端縁より内方へフランジ状の頂壁１６を延設して構成している。本実施例では、頂壁１６下面周縁部により、各嵌合凹部５内に嵌合させた各嵌合突部１２上面を当接係止する如く構成している。また、周壁内面にケース体２の上記各螺条が係合する螺旋状の複数の凹溝を設けている。
【００１３】
上記の如く構成した容器１は、キャップ１４を外して容器を傾倒させる等により収納液を注出できる。また、収納液を使い切った際には、肩カバー４を外して容器体を取り出し、交換用の容器体を装着した後、再び肩カバー４を装着固定すれば良い。
【００１４】
【発明の効果】
以上説明した如く本発明液体収納容器は、既述構成としたことにより、特に、上端開口の有底筒状をなすとともに、上面に複数の嵌合凹部５を凹設したケース体２と、該ケース体内に収納した筒状胴部９上端縁より肩部１０を介して口頚部１１を起立するとともに、胴部周壁９ａ外周上端部より突設した複数の嵌合突部１２を上記各嵌合凹部５内にそれぞれ嵌合させてケース体に着脱自在に装着させた合成樹脂製の液体収納容器体３と、上記ケース体２外周上端部に嵌合させた周壁１５上端縁より内方へフランジ状頂壁１６を延設してケース体に着脱自在に装着した肩カバー４とを備えているので、収納液を使い切った際は容器体のみを廃棄し、交換用の容器体を装着すればよく、従って、容器体以外のケース体等は永年使用することが出来て、それらを装飾性の高い高価なものとしても、ケース体及び肩カバーにより大部分が被覆される容器体は外観等に全く考慮を払う必要がなく、極力廉価なものとすることができ、長期的な使用の観点からすると、全体として廉価となる。
【００１５】
また、液体収納容器体３を構成する壁部を薄肉に形成するとともに、各嵌合突部１２突設部位を包含する一対の壁部内側面縦断部分及び各縦断部分下端相互を連結する壁部内底面横断部分に、帯状の肉厚骨部１３を突設したので、壁部が極めて薄い肉厚であっても、容器体を確実に起立させておくことができ、従って、交換用容器体のみの陳列，保管等に便利である。
また、容器体を押出形成等により形成された管状基材を使用してブロー成形等により形成出来る製造上の便利がある。
また、肉厚骨部１３は嵌合突部１２の補強も兼ねているため、ケース体２に装着した容器体３がへたる等の不都合もない。
また、廃棄の際には、壁部が薄肉に形成されているため、丸めて廃棄することができ、その嵩を少なく廃棄でき、また、重量も少なくて済む。
また容器体３の交換は、肩カバー４を外して容器体を引き出し、新たな容器体を装着した後再び肩カバーを装着すれば良く、極めて容易に行える。
【図面の簡単な説明】
【図１】本発明液体収納容器の一実施例を示す分解斜視図である。
【図２】同実施例に於ける液体収納容器体の斜視図である。
【図３】同実施例に於ける液体収納容器体の横断面図である。
【図４】液体収納容器体の他の例を示す横断面図である。
【符号の説明】
２…ケース体，３…容器体，４…肩カバー，５…嵌合凹部，９…胴部，
9a…周壁，10…肩部，11…口頚部，12…嵌合突部，13…肉厚骨部，
15…周壁，16…頂壁，
【図１】
0003616477.tif 000002
【図２】
0003616477.tif 000003
【図３】
0003616477.tif 000004
【図４】
0003616477.tif 000005